(57)【特許請求の範囲】
【請求項１】
光ディスクに記録されているデータを再生すると共に、所定の行数で表示されるオンスクリーンメッセージを出力する光ディスク再生装置であって、
前記光ディスクの記録面から記録データを読み出す読み出し手段と、
前記オンスクリーンメッセージを表示するディジタル文字信号列を生成するオンスクリーンメッセージ生成手段と、
読み出された前記記録データに応じて、前記オンスクリーンの行数を変化させるように前記オンスクリーンメッセージ生成手段を制御するオンスクリーンメッセージ行数制御手段と、
前記読み出された記録データに応じて、前記光ディスクの種類を識別する光ディスク識別手段とを備え、
前記光ディスクが音楽ＣＤと識別される時には、オンスクリーンメッセージ行数制御手段は前記オンスクリーンメッセージを１０行にするように前記オンスクリーンメッセージ生成手段を制御する光ディスク再生装置。
【請求項２】
前記読み出された記録データに応じて、再生されるデータの表示方式を識別する表示方式識別手段をさらに備え、
前記光ディスクが音楽ＣＤ以外と識別され、かつ前記再生されるデータの表示形式がＮＴＳＣ方式であると識別される時には、前記オンスクリーンメッセージ行数制御手段は前記オンスクリーンメッセージを１０行にするように前記オンスクリーンメッセージ生成手段を制御することを特徴とする請求項１に記載の光ディスク再生装置。
【請求項３】
前記読み出された記録データに応じて、再生されるデータの表示方式を識別する表示方式識別手段をさらに備え、
前記光ディスクが音楽ＣＤ以外と識別され、かつ前記再生されるデータの表示形式がＰＡＬ方式であると識別される時には、前記オンスクリーンメッセージ行数制御手段は前記オンスクリーンメッセージを１２行にするように前記オンスクリーンメッセージ生成手段を制御することを特徴とする請求項１に記載の光ディスク再生装置。
【請求項４】
前記光ディスク識別手段は、前記読み出された記録データに含まれるＴＯＣのコントロールビットに基づいて前記光ディスクの種類を識別することを特徴とする請求項１、請求項２、および請求項３のいずれか１項に記載の光ディスク再生装置。
【請求項５】
光ディスクに記録されているデータを再生すると共に、所定の行数で表示されるオンスクリーンメッセージを出力する光ディスク再生装置であって、
前記光ディスクの記録面から記録データを読み出す読み出し手段と、
前記オンスクリーンメッセージを表示するディジタル文字信号列を生成するオンスクリーンメッセージ生成手段と、
読み出された前記記録データに応じて、前記オンスクリーンの行数を変化させるように前記オンスクリーンメッセージ生成手段を制御するオンスクリーンメッセージ行数制御手段と、
前記読み出された記録データに応じて、再生されるデータの表示方式を識別する表示方式光識別手段とを備え、
前記再生されるデータの表示形式がＮＴＳＣ方式であると識別される時には、前記オンスクリーンメッセージ行数制御手段は前記オンスクリーンメッセージを１０行にするように前記オンスクリーンメッセージ生成手段を制御することを特徴とする光ディスク再生装置。
【請求項６】
光ディスクに記録されているデータを再生すると共に、所定の行数で表示されるオンスクリーンメッセージを出力する光ディスク再生装置であって、
前記光ディスクの記録面から記録データを読み出す読み出し手段と、
前記オンスクリーンメッセージを表示するディジタル文字信号列を生成するオンスクリーンメッセージ生成手段と、
読み出された前記記録データに応じて、前記オンスクリーンの行数を変化させるように前記オンスクリーンメッセージ生成手段を制御するオンスクリーンメッセージ行数制御手段と、
前記読み出された記録データに応じて、再生されるデータの表示方式を識別する表示方式光識別手段とを備え、
前記再生されるデータの表示形式がＰＡＬ方式であると識別される時には、前記オンスクリーンメッセージ行数制御手段は前記オンスクリーンメッセージを１２行にするように前記オンスクリーンメッセージ生成手段を制御することを特徴とする光ディスク再生装置。
【請求項７】
前記光ディスク識別手段は、前記読み出された記録データに含まれるシーケンスヘッダに基づいて前記再生されるデータの表示方式を識別することを特徴とする請求項２、請求項３、請求項５および請求項６のいずれか１項に記載の光ディスク再生装置。
【請求項８】
光ディスクに記録されているデータを再生すると共に、所定の行数で表示されるオンスクリーンメッセージを出力する光ディスク再生装置であって、
前記光ディスクの記録面から記録データを読み出す読み出し手段と、
前記オンスクリーンメッセージを表示するディジタル文字信号列を生成するオンスクリーンメッセージ生成手段と、
読み出された前記記録データに応じて、前記オンスクリーンの行数を変化させるように前記オンスクリーンメッセージ生成手段を制御するオンスクリーンメッセージ行数制御手段と、
前記読み出された記録データから第１の音楽ＣＤ信号列とそれ以外の外信号列である非音楽ＣＤ信号列を分岐する信号列分岐手段と、
前記分岐された前記非音楽ＣＤ信号列に含まれる映像信号をディジタル復号信号列に変換すると共に、当該非音楽ＣＤ信号列に含まれる音声データを第２の音楽ＣＤ信号列に変換して出力するディジタル信号処理手段と、
前記ディジタル復号信号列と前記ディジタル文字信号列をアナログビデオ信号に変換するビデオ信号変換手段と、
前記第１の音楽ＣＤ信号列と前記第２の音楽ＣＤ信号列をアナログオーディオ信号に変換するオーディオ信号変換手段とを備える光ディスク再生装置。
【請求項９】
前記ディジタル信号処理手段はＭＰＥＧ１信号列を復号できることを特徴とする請求項８に記載の光ディスク再生装置。
【請求項１０】
前記ディジタル信号処理手段はＭＰＥＧ２信号列を復号できることを特徴とする請求項８に記載の光ディスク再生装置。
【発明の詳細な説明】
【０００１】
【発明の属する技術分野】
本発明は光ディスク再生装置に関し、さらに詳しくは再生する光ディスクに記録されているデータの表示方式に応じてオンスクリーンメッセージの表示行数を変えてテレビジョン画面に表示する光ディスク再生装置に関する。
【０００２】
【従来の技術】
近年、ＣＤプレーヤにＭＰＥＧ１（Ｍｏｖｉｎｇ  Ｐｉｃｔｕｒｅ  Ｃｏｄｉｎｇ  Ｅｘｐｅｒｔｓ  Ｇｒｏｕｐ１の略）復号機能を内蔵しているビデオＣＤプレーヤが普及している。同ビデオＣＤプレーヤでは、ビデオＣＤやカラオケＣＤに記録されているＭＰＥＧ１でディジタル圧縮した最大７４分の動画データや音声データを再生できる。さらに、ビデオＣＤ再生に用いられる光ピックアップを始めとするメカニズム、サーボ技術および信号処理技術をそのまま用いて、ディジタルビデオ復号機能をＭＰＥＧ１の代わりにＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ２の略）復号機能を備えて、画像および音声の高品質化を実現したＣＶＤ（Ｃｈｉｎａ  Ｖｉｄｅｏ  ＣＤ）やＳＶＣＤ（Ｓｕｐｅｒ  Ｖｉｄｅｏ  ＣＤ）が特に中国市場を中心に商品化されている。
【０００３】
また、日本国内やアメリカを中心に前記ＭＰＥＧ２復号機能を備えたＤＶＤプレーヤが商品化されている。ＤＶＤプレーヤでは、最大１３３分の動画を水平および垂直の解像度がそれぞれ７０２ドットおよび４８０ラインの高画質および高音質で再生できる。これらのビデオＣＤプレーヤおよびＤＶＤプレーヤは、再生画像および再生音声の高品質化とともに高機能化が実現されている。熟練したユーザにとっては、高機能化は多種多彩な機能を楽しむことができる。一方、一般のユーザにとっては、高機能を利用するために必要とされる複雑な操作性により取扱いが難しい。
【０００４】
この複雑な操作性に起因するユーザの負担を軽減するために、最近のビデオＣＤプレーヤおよびＤＶＤプレーヤには、ＯＳＤ（Ｏｎ  Ｓｃｒｅｅｎ  Ｄｉｓｐｌａｙ）機能を搭載されている。つまり、ユーザの操作に対する入力情報の表示や再生中の経過時間、再生時のプレーヤ状態、特殊再生機能、或いは再生する光ディスクの種類を示すオンスクリーンメッセージ（ＯＳＭ）を再生モニタ上に表示させて、プレーヤの操作性および使いやすさの向上を図っている。このＯＳＤ機能によりモニタ上に表示される画像をオンスクリーンメッセージと称する。
【０００５】
以下に図１０、図１１および図１２を参照して、従来の光ディスク再生装置について説明する。図１０に、従来の光ディスク再生装置の第１の例を示す。本例にかかる従来の光ディスク再生装置ＯＰＣ１においては、音楽ＣＤに代表される光ディスクＯｄは、スピンドルモータ７２に載置固定されて回転される。回転されている光ディスクＯｄの記録面に、光ピックアップ７３の光ビームＬｂが照射されて記録面からデータがディジタル信号として読み出される。
【０００６】
光学サーボ制御器７４は、スピンドルモータ７２と光ピックアップ７３のサーボ制御を行う。ディジタル信号処理器７５は、光ピックアップ７３から出力されるディジタル信号を復調処理して、サブコード情報や制御情報および音楽ＣＤのＣＤ−ＤＡ信号列やＣＤ−ＤＡ以外の信号列に変換する。システム制御器７６はディジタル信号処理器７５から出力されるサブコード情報や制御情報を読み込んで、再生中の光ディスクＯｄの種類を識別したり、光ビームＬｂのトラックジャンプやフォーカスエラーなどのシステム異常を検出する。
【０００７】
情報信号列分岐器７９は、ディジタル信号処理器７５から入力されるディジタル信号をＣＤ−ＤＡ信号列とそれ以外の信号列とに分岐して出力する。
【０００８】
ＭＰＥＧ１復号処理器７８は、情報信号列分岐器７９から出力されるＣＤ−ＤＡ信号列やＣＤ−ＤＡ信号列以外の信号列を読み込む。ＭＰＥＧ１復号処理器７８はメモリ７７をバッファメモリとして使いながら、ＣＤ−ＤＡ信号列が入力される場合にはそのまま同じＣＤ−ＤＡ信号列として出力する。一方、ＣＤ−ＤＡ信号列以外の信号列が入力される場合には、ＭＰＥＧ１復号処理器７８は光ディスクＯｄのディスク情報を読み込んで光ディスクＯｄに記録されている映像（ＣＤ−ＤＡ信号列以外の信号列）がＰＡＬ方式かＮＴＳＣ方式かを判別する。
【０００９】
ＭＰＥＧ１復号処理器７８はさらに、メモリ７７をバッファメモリとして使いながらリアルタイムに映像信号列（ＣＤ−ＤＡ信号列以外の信号列）をディジタル復号信号列に変換して出力する。なお、映像がＰＡＬ方式であれば、映像信号列はＰＡＬ映像のディジタル復号信号列に変換される。そして、映像がＮＴＳＣ方式であれば、映像信号列はＮＴＳＣ映像のディジタル復号信号列に変換される。
【００１０】
オンスクリーン表示器７Ａはシステム制御器７６から出力される文字データや文字表示情報を読み込んでディジタル文字信号列に変換して出力する。
【００１１】
ビデオ信号Ｄ／Ａ変換器７ＢはＭＰＥＧ１復号処理器７８から出力されるディジタル復号信号列と、オンスクリーン表示器７Ａから出力されるディジタル文字信号列を読み込んでアナログビデオ信号に変換する。オーディオ信号Ｄ／Ａ変換器７Ｃは、ＭＰＥＧ１復号処理器７８から出力されるＣＤ−ＤＡ信号列を読み込んでアナログオーディオ信号に変換する。
【００１２】
上述の如く構成された光ディスク再生装置ＯＰＣ１において、光ディスクＯｄとして音楽ＣＤおよび他の種類の光ディスクＯｄを再生する場合の光ディスク再生装置ＯＰＣ１の動作について説明する。先ず、音楽ＣＤの光ディスクＯｄを再生した場合について説明した場合について説明する。音楽ＣＤを再生すると、ディジタル信号処理器７５はディジタル信号の復調処理を開始して制御情報やサブコード情報を出力する。
【００１３】
システム制御器７６は、制御情報やサブコード情報を読み込んでＣＤ−ＤＡ信号列と識別した場合には、光ディスクＯｄには映像信号列が記録されていないと判断する。この場合システム制御器７６は、ディジタル信号処理器７５に対して映像信号の代わりにＮＴＳＣ方式のボーダーカラー信号（通常ブルーバック）を出力するよう制御指令を出すとともに、ビデオ信号Ｄ／Ａ変換器７Ａに対して表示文字情報や文字データを出力する。
【００１４】
システム制御器７６は、さらにトラックジャンプやフォーカスエラーなどのシステム異常を監視して、これらの異常が発生すれば光学サーボ制御器７４に指令を出して、光ピックアップ７３やスピンドルモータ７２の復帰制御をする。
【００１５】
ＭＰＥＧ１復号処理器７８は、ディジタル信号処理器７５から出力されるＣＤ−ＤＡの信号列を読み込んでメモリ７７をバッファメモリとして使いながら入力したＣＤ−ＤＡ信号列と同じ信号列として出力するとともに、ＮＴＳＣ方式のボーダーカラー信号をディジタル復号信号列に変換して出力する。
【００１６】
オンスクリーン表示器７Ａは、システム制御器７６から出力される表示文字情報を読み込んで表示文字行数を１０行に設定するとともに、文字データを読み込んでディジタル文字信号列に変換して出力する。
【００１７】
ビデオ信号Ｄ／Ａ変換器７Ｂは、ＭＰＥＧ１復号処理器７８から出力されるディジタル復号信号列と、オンスクリーン表示器７Ａから出力されるディジタル文字信号列を読み込んでアナログビデオ信号に変換して出力する。
【００１８】
オーディオ信号Ｄ／Ａ変換器７Ｃは、ＭＰＥＧ１復号処理器７８から出力されるＣＤ−ＤＡ信号列を読み込んでアナログオーディオ信号に変換して出力する。
【００１９】
次に、音楽ＣＤ以外の光ディスクＯｄを再生した場合の光ディスク再生装置ＯＰＣ１の動作について説明する。音楽ＣＤ以外の光ディスクＯｄを再生すると、ディジタル信号処理器７５は、ディジタル信号の復調処理を開始して制御情報やサブコード情報を出力するとともにＣＤ−ＤＡ以外の信号列を出力する。
【００２０】
システム制御器７６は、ディジタル信号処理器７５から出力される制御情報やサブコード情報を読み込んでＣＤ−ＤＡ以外の信号列であることを識別するとともに、トラックジャンプやフォーカスエラーなどのシステム異常を監視する。これらの異常が発生すれば、システム制御器７６は光学サーボ制御器７４に指令を出して、光ピックアップ７３やスピンドルモータ７２の復帰制御をする。
【００２１】
情報信号列分岐器７９は、ディジタル信号処理器７５から入力されるディジタル信号をＣＤ−ＤＡ信号列とそれ以外の信号列とに分岐して出力する。
【００２２】
ＭＰＥＧ１復号処理器７８は、情報信号列分岐器７９から出力されるＣＤ−ＤＡ信号列やＣＤ−ＤＡ信号列以外の信号列を読み込む。ＭＰＥＧ１復号処理器７８は、光ディスクＯｄに記録されている映像がＰＡＬ方式であれば、映像信号列をＰＡＬ映像のディジタル復号信号列に、ＮＴＳＣ方式であればＮＴＳＣ映像のディジタル復号信号列にそれぞれリアルタイムに変換して出力する。
【００２３】
オンスクリーン表示器７Ａは、システム制御器７６から出力される表示文字情報を読み込んでオンスクリーンメッセージの表示文字行数を１０行に設定するとともに、文字データを読み込んでディジタル文字信号列に変換して出力する。
【００２４】
ビデオ信号Ｄ／Ａ変換器７ＢはＭＰＥＧ１復号処理器７８から出力されるディジタル復号信号列と、オンスクリーン表示器７Ａから出力されるディジタル文字信号列を読み込んでアナログビデオ信号に変換して出力する。
【００２５】
オーディオ信号Ｄ／Ａ変換器７Ｃは、ＭＰＥＧ１復号処理器７８から出力されるＣＤ−ＤＡ信号列を読み込んでアナログオーディオ信号に変換して出力する。
【００２６】
次に、図１１に、従来の光ディスク再生装置の第２の例を示す。本例における光ディスク再生装置ＯＰＣ２は、図１０に示した光ディスク再生装置ＯＰＣ１におけるＭＰＥＧ１復号処理器７８とビデオ信号Ｄ／Ａ変換器７ＢがＭＰＥＧ１復号処理器８８で置き換えられている。ＭＰＥＧ１復号処理器８８は、ＭＰＥＧ１復号処理器７８とビデオ信号Ｄ／Ａ変換器７Ｂが一体的に構成されている。
【００２７】
結果、ＭＰＥＧ１復号処理器８８は、システム制御器７６から表示文字情報や文字データを読み込んでディジタル文字信号列に変換するとともに、変換されたディジタル文字信号列とディジタル復号信号列とをミックスして出力できる。なお、光ディスク再生装置ＯＰＣ２の光ディスクＯｄ再生動作は、ＭＰＥＧ１復号処理器８８の動作を除いて、上述の光ディスク再生装置ＯＰＣ１の光ディスクＯｄ再生動作と基本的に同一であるので説明を除く。
【００２８】
【発明が解決しようとする課題】
しかしながら上記従来例の構成では、テレビジョン画像の方式がＰＡＬ方式であってもＮＴＳＣ方式であってもテレビジョン画面上に表示できるオンスクリーンメッセージの表示行数は１０行に固定されている。そのために、オンスクリーン表示器によって、ＮＴＳＣ方式のテレビジョン画面上に均一に配置されるように設定されたオンスクリーンメッセージは、ＰＡＬ方式のテレビジョン画面上では表示文字行が全体的に約２０％程度画面上部に移動して偏って表示されてしまう。
【００２９】
図１２に、ＮＴＳＣ方式の画面用に設定されたオンスクリーンメッセージがＰＡＬ方式のテレビジョン画面に表示される一例を示す。同図左部に、ＮＴＳＣ方式のテレビジョン画面上に行Ｌｎ１〜Ｌｎ１０で表される全表示文字行数１０行を均一に配置して表示されたオンスクリーンメッセージのＭＳＧを示す。同図右部に、オンスクリーンメッセージのＭＳＧをＰＡＬ方式のテレビジョン画面上に表示した場合の画面表示ＭＳＧｃを示す。
【００３０】
ＮＴＳＣ方式では垂直走査線の数が５２５本であるが、ＰＡＬ方式における垂直走査線の数は６２５本と、ＮＴＳＣ方式の場合に比べて約１．２倍である。つまり、オンスクリーンメッセージの行間隔をＮＴＳＣと同じとする場合、ＰＡＬ方式はＬｐ１〜Ｌｐ１２で示されるように１２行分の表示領域を有する。
【００３１】
それゆえ、ＮＴＳＣ画面用に設定されたメッセージＭＳＧの表示文字行数を１０行に固定したままＰＡＬ方式のテレビジョン画面に表示した場合は、約２行分の表示範囲が使用されない。本例においては、ＰＡＬ画面上の下２行（Ｌｐ１１、Ｌｐ１２）に文字が表示できない例を示しているが、上２行（Ｌｐ１、Ｌｐ２）についても同様である。
【００３２】
本発明は上記従来の問題点を解決するもので、ビデオＣＤやカラオケＣＤ、ＤＶＤを再生する場合に、その光ディスクの情報および再生中のデータの表示方式を識別して、識別された光ディスクの種別或いは画像の表示方式に応じてオンスクリーンメッセージの表示行数を設定することによって、画面上にオンスクリーンメッセージを適正に表示する光ディスク再生装置を提供することを目的とする。
【００３３】
さらに言えば、ＮＴＳＣ方式の映像に関してはオンスクリーンメッセージの表示文字行数を１０行に設定し、一方ＰＡＬ方式の映像に関してはオンスクリーンメッセージの表示文字行数を１２行に設定することで、ＰＡＬ方式の場合もテレビジョン画面上で表示文字範囲が偏ることなく表示できるようになり、さらに画面下部の文字表示できない部分を解消して全画面均一に文字表示できる光ディスク再生装置を提供することを目的とする。
【００３４】
【課題を解決するための手段および発明の効果】
第１の発明は、光ディスクに記録されているデータを再生すると共に、所定の行数で表示されるオンスクリーンメッセージを出力する光ディスク再生装置であって、
光ディスクの記録面から記録データを読み出す読み出し器と、
オンスクリーンメッセージを表示するディジタル文字信号列を生成するオンスクリーンメッセージ生成器と、
読み出された記録データに応じて、オンスクリーンの行数を変化させるようにオンスクリーンメッセージ生成器を制御するオンスクリーンメッセージ行数制御器と、
読み出された記録データに応じて、光ディスクの種類を識別する光ディスク識別器とを備え、
光ディスクが音楽ＣＤと識別される時には、オンスクリーンメッセージ行数制御器はオンスクリーンメッセージを１０行にするようにオンスクリーンメッセージ生成器を制御することを特徴とする。
【００３５】
上記のように、第１の発明では、光ディスクに記録されているデータに応じて、再生される光ディスクの種類に応じて、オンスクリーンメッセージの表示行数を適正に設定ができる。
【００３６】
第２の発明は、第１の発明において、読み出された記録データに応じて、再生されるデータの表示方式を識別する表示方式識別器をさらに備え、
光ディスクが音楽ＣＤ以外と識別され、かつ再生されるデータの表示形式がＮＴＳＣ方式であると識別される時には、オンスクリーンメッセージ行数制御器はオンスクリーンメッセージを１０行にするようにオンスクリーンメッセージ生成器を制御することを特徴とする。
【００３７】
上記のように、第２の発明では、第１の発明と同様の効果が得られる。
【００３８】
第３の発明は、第１の発明において、読み出された記録データに応じて、再生されるデータの表示方式を識別する表示方式識別器をさらに備え、
光ディスクが音楽ＣＤ以外と識別され、かつ再生されるデータの表示形式がＰＡＬ方式であると識別される時には、オンスクリーンメッセージ行数制御器はオンスクリーンメッセージを１２行にするようにオンスクリーンメッセージ生成器を制御することを特徴とする。
【００３９】
上記のように、第３の発明では、第２の発明と同様の効果が得られる。
【００４０】
第４の発明は、第１、第２、および第３の発明のいずれか１つにおいて、光ディスク識別器は読み出された記録データに含まれるＴＯＣのコントロールビットに基づいて光ディスクの種類を識別することを特徴とする。
【００４１】
第５の発明は、光ディスクに記録されているデータを再生すると共に、所定の行数で表示されるオンスクリーンメッセージを出力する光ディスク再生装置であって、
光ディスクの記録面から記録データを読み出す読み出し器と、
オンスクリーンメッセージを表示するディジタル文字信号列を生成するオンスクリーンメッセージ生成器と、
読み出された前記記録データに応じて、オンスクリーンの行数を変化させるようにオンスクリーンメッセージ生成手段を制御するオンスクリーンメッセージ行数制御器と、
読み出された記録データに応じて、再生されるデータの表示方式を識別する表示方式光識別器とを備え、
再生されるデータの表示形式がＮＴＳＣ方式であると識別される時には、オンスクリーンメッセージ行数制御器はオンスクリーンメッセージを１０行にするようにオンスクリーンメッセージ生成器を制御することを特徴とする。
【００４２】
上記のように、第５の発明では、同一の光ディスクに記録されている表示方式の異なるデータのそれぞれに応じて、オンスクリーンメッセージの行数を正しく設定できる。
【００４３】
第６の発明は、光ディスクに記録されているデータを再生すると共に、所定の行数で表示されるオンスクリーンメッセージを出力する光ディスク再生装置であって、
光ディスクの記録面から記録データを読み出す読み出し器と、
オンスクリーンメッセージを表示するディジタル文字信号列を生成するオンスクリーンメッセージ生成器と、
読み出された前記記録データに応じて、オンスクリーンの行数を変化させるようにオンスクリーンメッセージ生成器を制御するオンスクリーンメッセージ行数制御器と、
読み出された記録データに応じて、再生されるデータの表示方式を識別する表示方式光識別器とを備え、
再生されるデータの表示形式がＰＡＬ方式であると識別される時には、オンスクリーンメッセージ行数制御器は前記オンスクリーンメッセージを１２行にするようにオンスクリーンメッセージ生成器を制御することを特徴とする。
【００４４】
上記のように、第６の発明では、第５の発明と同様の効果を得られる。
【００４５】
第７の発明は、第２、第３、第５および第６の発明のいずれか１つおいて、光ディスク識別器は、読み出された記録データに含まれるシーケンスヘッダに基づいて再生されるデータの表示方式を識別することを特徴とする。
【００４６】
第８の発明は、光ディスクに記録されているデータを再生すると共に、所定の行数で表示されるオンスクリーンメッセージを出力する光ディスク再生装置であって、
光ディスクの記録面から記録データを読み出す読み出し器と、
オンスクリーンメッセージを表示するディジタル文字信号列を生成するオンスクリーンメッセージ生成器と、
読み出された記録データに応じて、オンスクリーンの行数を変化させるようにオンスクリーンメッセージ生成器を制御するオンスクリーンメッセージ行数制御器と、
読み出された記録データから第１の音楽ＣＤ信号列とそれ以外の外信号列である非音楽ＣＤ信号列を分岐する信号列分岐器と、
分岐された前記非音楽ＣＤ信号列に含まれる映像信号をディジタル復号信号列に変換すると共に、当該非音楽ＣＤ信号列に含まれる音声データを第２の音楽ＣＤ信号列に変換して出力するディジタル信号処理器と、
ディジタル復号信号列と前記ディジタル文字信号列をアナログビデオ信号に変換するビデオ信号変換器と、
第１の音楽ＣＤ信号列と第２の音楽ＣＤ信号列をアナログオーディオ信号に変換するオーディオ信号変換器とを備える。
【００４７】
第９の発明は、第８の発明において、ディジタル信号処理器はＭＰＥＧ１信号列を復号できることを特徴とする。
【００４８】
第１０の発明は、第８の発明において、ディジタル信号処理器はＭＰＥＧ２信号列を復号できることを特徴とする。
【００４９】
【発明の実施の形態】
先ず、図１、図２、図３、図４および図５を参照して、本発明の実施形態にかかる光ディスク再生装置について説明する。その後、図６および図７を参照して本発明の第１の実施例にかかる光ディスク再生装置について説明し、図８および図９を参照して本発明の第２の実施例にかかる光ディスク再生装置について説明する。
【００５０】
図１を参照して本発明の実施形態にかかる光ディスク再生装置ＯＰＰについて説明する。光ディスク再生装置ＯＰＰは、スピンドルモータ１２、光ピックアップ１３、光学サーボ制御器１４、第１のディジタル信号処理器１５、システム制御器１６、メモリ１７、第２のディジタル信号処理器１８、情報信号列分岐器１９、オンスクリーン表示切替器１Ａ、ビデオ信号Ｄ／Ａ変換器１Ｂ、およびオーディオ信号Ｄ／Ａ変換器１Ｃを含む。
【００５１】
スピンドルモータ１２は、再生する光ディスクＯｄを自身に載置固定して回転させる。光ピックアップ１３は、スピンドルモータ１２で回転されている光ディスクＯｄの記録面に光ビームＬｂを照射して、記録面から反射された光ビームＬｂを受光して記録されているデータをディジタル信号として読み出す。光学サーボ制御器１４は、スピンドルモータ１２と光ピックアップ１３のサーボ制御を行う。光学サーボ制御器１４はサーボ動作を表すサーボ動作信号を生成してシステム制御器１６に出力する。
【００５２】
第１のディジタル信号処理器１５は、光ピックアップ１３から出力されるディジタル信号を復調処理してサブコード情報や制御情報および音楽ＣＤのＣＤ−ＤＡ信号列や、音楽ＣＤのＣＤ−ＤＡ以外の信号列に変換する。そして、第１のディジタル信号処理器１５は、サブコード情報および制御情報を情報信号Ｓｉとしてシステム制御器１６に出力するとともに、音楽ＣＤのＣＤ−ＤＡ信号列やＣＤ−ＤＡ以外の信号列を復号信号列Ｓｄとして情報信号列分岐器１９に出力する。
【００５３】
なお本明細書において、音楽ＣＤのＣＤ−ＤＡ信号列を音楽ＣＤ信号列Ｓｄａと称する。音楽ＣＤのＣＤ−ＤＡ信号列以外の信号列を非音楽ＣＤ信号列Ｓｎｄａと称する。非音楽ＣＤ信号列Ｓｎｄａは、一例として、映像データと音声データがミックスされたデータとして記録されているビデオＣＤからの復号信号列Ｓｄが含まれる。
【００５４】
さらに、システム制御器１６は第１のディジタル信号処理器１５から出力される情報信号Ｓｉを読み込んで、現在第１のディジタル信号処理器１５から出力されている復号信号列Ｓｄが音楽ＣＤ信号列Ｓｄａか非音楽ＣＤ信号列Ｓｎｄａかを区別する。そして、システム制御器１６は、その識別結果に基づいて識別指令Ｓｉｄと制御信号Ｓｓｗを生成する。識別指令Ｓｉｄは情報信号列分岐器１９に出力され、制御信号Ｓｓｗはオンスクリーン表示切替器１Ａに出力される。
【００５５】
なお、システム制御器１６は、光学サーボ制御器１４から入力されるサーボ動作信号に基づいて、光ビームＬｂのトラックジャンプやフォーカスエラーなどのシステム異常を検出して、光学サーボ制御器１４をフィードバック制御する。さらに、システム制御器１６は上述の入力信号を含み光ディスク再生装置ＯＰＰの各部から入力される処理信号Ｓｃｉに基づいて制御信号Ｓｃｏを生成して光ディスク再生装置ＯＰＰ全体の動作を制御する。このシステム制御器１６による光ディスク再生装置ＯＰＰ全体の制御方法は公知の技術であるので説明を省く。
【００５６】
情報信号列分岐器１９は、システム制御器１６から出力される識別指令Ｓｉｄに基づいて、第１のディジタル信号処理器１５から入力される復号信号列Ｓｄに含まれる音楽ＣＤ信号列Ｓｄａをオーディオ信号Ｄ／Ａ変換器１Ｃに出力する一方、非音楽ＣＤ信号列Ｓｎｄａを第２のディジタル信号処理器１８に出力する。
【００５７】
第２のディジタル信号処理器１８は、システム制御器１６から入力される指令（Ｓｃｏ）に基づいて、情報信号列分岐器１９により分岐入力された非音楽ＣＤ信号列Ｓｎｄａを、メモリ１７をバッファメモリとして使用しながらリアルタイムにディジタル復号信号列ＳｖｄとＣＤ−ＤＡ信号列Ｓａｄに変換する。ディジタル復号信号列Ｓｖｄは映像信号であるので、ビデオ信号Ｄ／Ａ変換器１Ｂに出力される。ＣＤ−ＤＡ信号列Ｓａｄは音声信号であるのでオーディオ信号Ｄ／Ａ変換器１Ｃに出力される。
【００５８】
オンスクリーン表示切替器１Ａは、システム制御器１６から入力される制御信号Ｓｓｗに基づいて、テレビジョン画面上に表示されるオンスクリーンメッセージの文字表示行数と文字データを決定する。そして、オンスクリーン表示切替器１Ａは、決定された表示行数で表示されるオンスクリーンメッセージを表すディジタル文字信号列Ｓｏｓｄをビデオ信号Ｄ／Ａ変換器１Ｂに出力する。
【００５９】
なお、音楽ＣＤ信号列Ｓｄａの場合は、光ディスクに映像信号は記録されていないのでオンスクリーン表示切替器１Ａの文字表示行数は１０行に設定される。非音楽ＣＤ信号列Ｓｎｄａの場合は、光ディスクＯｄに記録されている映像信号がＮＴＳＣ方式であればオンスクリーン表示切替器１Ａの文字表示行数は１０行に設定され、ＰＡＬ方式であればオンスクリーン表示切替器１Ａの文字表示行数は１２行に設定する。
【００６０】
ビデオ信号Ｄ／Ａ変換器１Ｂは、第２のディジタル信号処理器１８から入力されるディジタル復号信号列Ｓｖｄとオンスクリーン表示切替器１Ａから入力されるディジタル文字信号列Ｓｏｓｄとをアナログビデオ信号Ｓｖに変換して出力する。
【００６１】
オーディオ信号Ｄ／Ａ変換器１Ｃは、情報信号列分岐器１９により分岐入力されるＣＤ−ＤＡ信号列および第２のディジタル信号処理器１８から入力されるＣＤ−ＤＡ信号列をアナログオーディオ信号Ｓａに変換して出力する。
【００６２】
図２および図３に示すフローチャートを参照して、上述の如く構成された光ディスク再生装置ＯＰＰにおけるオンスクリーンメッセージ表示の表示文字行数の切換動作について説明する。
【００６３】
先ず、図２に光ディスク再生装置ＯＰＰの主な動作を表すフローチャートを示す。光ディスク再生装置ＯＰＰに電源が投入されてその動作が開始される。先ず、ステップ＃１００のシステム初期化サブルーチンにおいて、光ディスク再生装置ＯＰＰ全体が初期化される。そして、処理は次のステップ＃２００に進む。
【００６４】
ステップ＃２００の光ディスク識別サブルーチンにおいて、光ディスク再生装置ＯＰＰに搭載されている光ディスクＯｄの種別が識別される。本例においては、音楽用ＣＤおよびビデオＣＤのいずれであるかが識別される。しかしながら、ＤＶＤに代表されるディジタル情報が記録されている任意の種類の光ディスクＯｄを識別するようにしても良い。そして、処理は次のステップ＃３００に進む。
【００６５】
ステップ＃３００の表示方式識別サブルーチンにおいて、ステップ＃２００で識別された光ディスクＯｄの種別毎に、再生して表示する画像の表示方式が識別される。そして、処理は次のステップ＃４００に進む。
【００６６】
ステップ＃４００のＯＳＭ表示行数設定サブルーチンにおいて、ステップ＃２００および＃３００のサブルーチンにおいて得られた識別結果に応じて、オンスクリーンメッセージの文字行数が設定される。そして、処理は次のステップ＃５００に進む。
【００６７】
ステップ＃５００のＯＳＭ表示サブルーチンにおいて、＃４００で設定された文字行数でオンスクリーンメッセージが表示される。
【００６８】
次に、図３を参照して、上述のサブルーチン＃２００、＃３００、および＃４００における動作を詳しく説明する。先ず、ステップ＃１００で光ディスク再生装置ＯＰＰのシステムを初期化した後に、ステップ＃２００の光ディスク識別サブルーチンが開始される。
【００６９】
［＃２００］
ステップＳ３において、光ディスクＯｄが搭載されているか否かが検出される。光ディスクＯｄが搭載されていない場合には、Ｎｏと判断される。そして、処理はステップＳ４に進む。
【００７０】
ステップＳ４において、システム制御器１６から光ディスク再生装置ＯＰＰに備えられたディスプレイ（図示せず）に、光ディスクＯｄが搭載されていない旨を表示させて、ユーザに光ディスクＯｄの搭載を促す等のエラー処理が実行される。そして、処理はステップＳ３に戻って、光ディスクＯｄが搭載されるのを待つ。
【００７１】
一方、ステップＳ３においてＹｅｓ、つまり光ディスクＯｄが搭載されていると判断される場合、処理はステップＳ５に進む。
【００７２】
ステップＳ５において、光ディスクＯｄに光ビームＬｂが照射されてデータの再生が開始される。先ず、光ディスクＯｄのＴＯＣ（Ｔａｂｌｅ  ｏｆ  Ｃｏｎｔｅｎｔ）のコントロールビットが情報信号Ｓｉとして読み出される。そして、処理は次のステップＳ７に進む。
【００７３】
ステップＳ７において、ステップＳ５で読み出されたコントロールビット（情報信号Ｓｉ）に基づいて、システム制御器１６は再生中の光ディスクＯｄが音楽ＣＤであるか否かを判断する。第１のディジタル信号処理器１５から出力された情報信号Ｓｉに示されるコントロールビットの値が音楽ＣＤを示している場合にはＹｅｓと判断されて、処理はＯＳＭ表示行数設定サブルーチン＃４００のステップＳ１５に進む。
【００７４】
一方、ステップＳ７においてＮｏ、つまり再生中の光ディスクＯｄは音楽ＣＤではないと判断された場合、処理はステップＳ９に進む。
【００７５】
ステップＳ９において、ステップＳ７におけるのと同様に、情報信号Ｓｉ（コントロールビット）に基づいて、再生中の光ディスクＯｄがビデオＣＤであるのか否かが判断される。Ｎｏ、つまりビデオＣＤではないと判断される場合は、処理は上述のステップＳ１０に進む。
【００７６】
ステップＳ１０において、システム制御器１６から光ディスク再生装置ＯＰＰに備えられたディスプレイ（図示せず）に、搭載されている光ディスクＯｄは音楽ＣＤおよびビデオＣＤのいずれでもない旨を表示させて、ユーザに適正な光ディスクＯｄの搭載を促す等のエラー処理を実行する。そして、処理はステップＳ３に戻って、適正な光ディスクＯｄが搭載されるのを待つ。
【００７７】
なお、本実施例においては、再生できる光ディスクＯｄとして音楽用ＣＤとビデオＣＤが例示されている。しかしながら、上述のように所望の種類の光ディスクＯｄのデータ再生に適したディジタル処理器を上述のように第２のディジタル信号処理器１８として用いることによって、任意の光ディスクＯｄの再生に使用できることは言うまでもない。
【００７８】
一方、ステップＳ９においてＹｅｓ、つまりビデオＣＤであると判断される場合は、処理は表示方式識別サブルーチン＃３００のステップＳ１１に進む。
【００７９】
［＃３００］
ステップＳ１１において、光ディスクＯｄに記録されているコンテンツデータが読み出される。そして処理は次のステップＳ１２に進む。
【００８０】
ステップＳ１２においては、ステップＳ１１で読み出されたコンテンツデータのシーケンスヘッダ（情報信号Ｓｉ）に基づいて、システム制御器１６は再生中のコンテンツデータの表示方法がＮＴＳＣ方式であるか否かを判断する。シーケンスヘッダの値がＮＴＳＣ方式を示している場合にはＹｅｓと判断されて、ＯＳＭ表示行数設定サブルーチン＃４００のステップＳ１５に進む。一方、ＮＴＳＣ方式を示していない場合はＮｏと判断されて、処理はステップＳ１３に進む。
【００８１】
ステップＳ１３において、ステップＳ１１と同様にシーケンスヘッダの値に基づいて、再生中のコンテンツデータの表示方法がＰＡＬ方式であるか否かが判断される。Ｎｏの場合は、処理はステップＳ１４に進む。
【００８２】
ステップＳ１４においては、システム制御器１６から光ディスク再生装置ＯＰＰに備えられたディスプレイ（図示せず）に、コンテンツデータの表示方式が不明である旨を表示させて、ユーザに光ディスクＯｄの交換等の適正な対処を促すエラー処理を実行する。そして、処理はステップＳ３に戻って、光ディスクＯｄが搭載されるのを待つ。なお、本ステップにおけるエラー処理の後に、処理をステップＳ３ではなくステップＳ１１に戻して、同一の光ディスクＯｄの再生を継続して、正しいコンテンツデータが再生されるのを待つようしても良い。
【００８３】
一方、ステップＳ１３において、ＰＡＬ方式であると判断された場合、処理はＯＳＭ表示行数設定サブルーチン＃４００のステップＳ１７に進む。
【００８４】
［＃４００］
ステップＳ１５において、システム制御器１６はオンスクリーン表示切替器１Ａを１０行表示にさせるべく制御信号Ｓｓｗを出力する。なお、本ステップにおける処理が実行されるのは、上述の光ディスク識別サブルーチン＃２００のステップＳ７で音楽ＣＤであると判定された場合と、表示方式識別サブルーチン＃３００のステップＳ１２でＮＴＳＣ方式であると判断された場合である。つまり、ビデオＣＤに記録されているＮＴＳＣ方式のコンテンツデータおよび音楽ＣＤに記録されている音声データの再生時にオンスクリーンメッセージを１０行表示に設定する。そして処理は、ＯＳＭ表示サブルーチン＃５００のステップＳ１９に進む。
【００８５】
ステップＳ１７においては、システム制御器１６はオンスクリーン表示切替器１Ａを１２行表示にさせるべく制御信号Ｓｓｗを出力する。なお、本ステップにおける処理が実行されるのは、上述の光ディスク識別サブルーチン＃２００のステップＳ９でビデオＣＤであると判定されるとともに表示方式識別サブルーチン＃３００のステップＳ１３でＰＡＬ方式であると判断された場合である。つまり、ビデオＣＤに記録されているＰＡＬ方式のコンテンツデータの再生時にオンスクリーンメッセージを１２行表示に設定する。
そして処理は、ＯＳＭ表示サブルーチン＃５００のステップＳ１９に進む。
【００８６】
［＃５００］
ステップＳ１９において、直前に制御信号Ｓｓｗで指示された行数でオンスクリーンメッセージが出力される。そして、処理は次のステップＳ２１に進む。
【００８７】
ステップＳ２１において、光ディスクＯｄに記録されているコンテンツデータの全てが再生されたか否かが判断される。Ｎｏの場合は、処理は表示方式識別サブルーチン＃３００に戻って、ビデオＣＤからコンテンツデータを順次読み出す。その読み出されたコンテンツデータの表示形式を識別して、オンスクリーンメッセージの表示行数を適正に設定する制御を継続する。そして、全コンテンツデータの再生が完了した時点で、本ステップでＹｅｓと判断されて処理を終了する。
【００８８】
以上のように本実施形態にかかる光ディスク再生装置ＯＰＰにおいては、光ディスクＯｄから読み出したディジタル信号を復調処理して情報信号Ｓｉと復号信号列Ｓｄを生成する。情報信号Ｓｉに含まれるサブコード情報に基づいて、コンパクトディスクの基本フォーマットであるＣＤ−ＤＡ信号列か、またはＣＤ−ＤＡ以外の信号列かを識別する。
【００８９】
ＣＤ−ＤＡ信号列の場合は、光ディスクＯｄには映像信号が記録されていないのでＯＳＤメッセージの表示行数を１０行に設定する。一方、ＣＤ−ＤＡ以外の信号列の場合は、さらに情報信号Ｓｉに含まれるシーケンスヘッダに基づいて、再生される映像信号列の表示方式を識別する。光ディスクＯｄに記録されている映像信号がＮＴＳＣ方式であればオンスクリーンメッセージの表示行数を１０行に設定し、ＰＡＬ方式の場合はオンスクリーンメッセージの表示行数を１２行に設定する。
【００９０】
さらに復号信号列Ｓｄを復号ＣＤ−ＤＡ信号列とＣＤ−ＤＡ以外の信号列とに分岐する。分岐されたＣＤ−ＤＡ以外の信号列を、リアルタイムにディジタル復号信号列ＳｖｄとＣＤ−ＤＡ信号列Ｓａｄに変換して出力する。
【００９１】
オンスクリーン表示するディジタル文字信号列Ｓｏｓｄとディジタル復号信号列Ｓｖｄをアナログ変換して、映像信号Ｓｖを生成する。
Ｄ−ＤＡ信号列ＳｄａおよびＣＤ−ＤＡ信号列Ｓａｄを変換して、アナログオーディオ信号Ｓａを生成する。
【００９２】
上述のように、ビデオＣＤやカラオケＣＤ、ＣＶＤやＳＶＣＤ、或いはＤＶＤを再生する場合に、それらの光ディスク情報を識別してＮＴＳＣ方式の映像に対してはオンスクリーン表示器の表示文字行数を１０行に設定し、一方ＰＡＬ方式の映像に対してはオンスクリーン表示器の表示文字行数を１２行に設定する。結果、ＰＡＬ方式の場合もテレビジョン画面上で表示文字範囲が偏ることなく表示できるようになり、さらに画面下部の文字表示できない部分を解消して全画面均一に文字表示できる。
【００９３】
図４に、本実施形態にかかる光ディスク再生装置ＯＰＰによって、オンスクリーンメッセージがＰＡＬ方式のテレビジョンで表示される一例を示す。同図左部に、ＮＴＳＣ方式のテレビジョン画面上に行Ｌｎ１〜Ｌｎ１０で表される全表示文字行数１０行を均一に配置して表示されたオンスクリーンメッセージＭＳＧを示す。同図右部に、オンスクリーンメッセージのＭＳＧをＰＡＬ方式のテレビジョン画面上に表示した場合の画面表示ＭＳＧｐを示す。１０行（Ｌｎ１〜Ｌｎ１０）で表示されるオンスクリーンメッセージＭＳＧは、１２行（Ｌｐ１〜Ｌｐ１２）で構成されるＰＡＬ表示画面上に以下の如く配置されている。
【００９４】
つまり、オンスクリーンメッセージＭＳＧの上半分（Ｌｎ１〜Ｌｎ５）がＰＡＬ表示画面の上側５行（Ｌｐ１〜Ｌｐ５）上に配置され、下半分（Ｌｎ６〜Ｌｎ１０）がＰＡＬ表示画面の下側５行（Ｌｐ８〜Ｌｐ１２）上に配置されている。このように配置することによって、オンスクリーンメッセージＭＳＧｐの真ん中の２行（Ｌｐ６およびＬｐ７）に所望のメッセージを表示させることができる。
【００９５】
なお、オンスクリーンメッセージＭＳＧの１０行（Ｌｎ１〜Ｌｎ１０）のそれぞれの行は、オンスクリーンメッセージＭＳＧｐ（Ｌｐ１〜Ｌｐ１２）の任意の行上に配置できることは言うまでもない。
【００９６】
図５を参照して、上述の本発明の実施形態にかかる光ディスク再生装置ＯＰＰの変形例について説明する。本変形例にかかる光ディスク再生装置ＯＰＰｒは、図１に示した光ディスク再生装置ＯＰＰの第２のディジタル信号処理器１８とオンスクリーン表示切替器１Ａが第３のディジタル信号処理器４８と置き換えられている。第３のディジタル信号処理器４８は、第２のディジタル信号処理器１８とオンスクリーン表示切替器１Ａが一体的に構成されている。
【００９７】
結果、第３のディジタル信号処理器４８は、情報信号列分岐器１９から入力される非音楽ＣＤ信号列Ｓｎｄａとシステム制御器１６から入力される制御信号Ｓｓｗに基づいて、ビデオ信号Ｄ／Ａ変換器１Ｂに対して、ディジタル復号信号列Ｓｖｄおよびディジタル文字信号列Ｓｏｓｄを同時に出力する。そして、第３のディジタル信号処理器４８は、オーディオ信号Ｄ／Ａ変換器１Ｃに対してＣＤ−ＤＡ信号列Ｓａｄを出力する。
光ディスク再生装置ＯＰＰｒの動作は、第３のディジタル信号処理器４８関連の動作を除いて、図３および図４を参照して既に説明した光ディスク再生装置ＯＰＰの動作と基本的に同様であるので説明を省く。
【００９８】
（第１の実施例）
次に、図６および図７を参照して、本発明の第１の実施例にかかる光ディスク再生装置について説明する。先ず、図６に示す光ディスク再生装置ＯＰＰ１は、図１に示した光ディスク再生装置ＯＰＰの第２のディジタル信号処理器１８として、第１のＭＰＥＧ１復号処理器２８が用いられている。第１のＭＰＥＧ１復号処理器２８は、ＭＰＥＧ１のディジタル信号を復号して映像データおよび音声データに変換する装置であり、その基本的な構成は公知である。
【００９９】
結果、光ディスク再生装置ＯＰＰ１は、非音楽ＣＤ信号列ＳｎｄａがビデオＣＤやカラオケＣＤなどに代表される光ディスクＯｄに記録されているＭＰＥＧ１信号列である場合に適している。
光ディスク再生装置ＯＰＰ１の動作は、上述のＭＰＥＧ１復号処理器２８に関連する動作を除いて、図３および図４を参照して既に説明した光ディスク再生装置ＯＰＰの動作と基本的に同様であるので説明を省く。
【０１００】
図７に、光ディスク再生装置ＯＰＰ１の変形例を示す。本変形例にかかる光ディスク再生装置ＯＰＰ１ｒは、図６に示す第１のＭＰＥＧ１復号処理器２８とオンスクリーン表示切替器１Ａが一体的に構成された第２のＭＰＥＧ１復号処理器５８が用いられている。第２のＭＰＥＧ１復号処理器５８は、情報信号列分岐器１９から入力される非音楽ＣＤ信号列Ｓｎｄａとシステム制御器１６から入力される制御信号Ｓｓｗに基づいて、ビデオ信号Ｄ／Ａ変換器１Ｂに対してはディジタル復号信号列Ｓｖｄおよびディジタル文字信号列Ｓｏｓｄを同時に出力する。そして、オーディオ信号Ｄ／Ａ変換器１Ｃに対してはＣＤ−ＤＡ信号列Ｓａｄを出力する。
光ディスク再生装置ＯＰＰｒの動作は、第２のＭＰＥＧ１復号処理器５８関連の動作を除いて、光ディスク再生装置ＯＰＰ１の動作と基本的に同様であるので説明を省く。
【０１０１】
（第２の実施例）
次に、図８および図９を参照して、本発明の第２の実施例にかかる光ディスク再生装置について説明する。先ず、図８に示す光ディスク再生装置ＯＰＰ２は、図６に示す第１のＭＰＥＧ１復号処理器２８が第１のＭＰＥＧ２復号処理器３８に置き換えられている。第１のＭＰＥＧ２復号処理器３８は、ＭＰＥＧ２のディジタル信号を復号して映像データおよび音声データに変換する装置であり、その基本的な構成は公知である。
【０１０２】
結果、本光ディスク再生装置ＯＰＰ２は、ＣＶＤやＳＶＣＤおよびＤＶＤなどに代表される光ディスクＯｄに記録されている非音楽ＣＤ信号列ＳｎｄａがＭＰＥＧ２信号列である場合に適している。
光ディスク再生装置ＯＰＰ２の動作は、第１のＭＰＥＧ２復号処理器３８に関連する動作を除いて、光ディスク再生装置ＯＰＰ１の動作と基本的に同様である。
【０１０３】
図９に、光ディスク再生装置ＯＰＰ２の変形例を示す。本変形例にかかる光ディスク再生装置ＯＰＰ２ｒは、図８に示す第１のＭＰＥＧ２復号処理器３８とオンスクリーン表示切替器１Ａが第２のＭＰＥＧ２復号処理器６８に置き換えられている。第２のＭＰＥＧ２復号処理器６８は、第１のＭＰＥＧ２復号処理器３８とオンスクリーン表示切替器１Ａが一体的に構成されている。
【０１０４】
結果、第２のＭＰＥＧ２復号処理器６８は、情報信号列分岐器１９から入力される非音楽ＣＤ信号列Ｓｎｄａとシステム制御器１６から入力される制御信号Ｓｓｗに基づいて、ビデオ信号Ｄ／Ａ変換器１Ｂに対してはディジタル復号信号列Ｓｖｄおよびディジタル文字信号列Ｓｏｓｄを同時に出力する。そして、オーディオ信号Ｄ／Ａ変換器１Ｃに対してはＣＤ−ＤＡ信号列Ｓａｄを出力する。
光ディスク再生装置ＯＰＰｒの動作は、第２のＭＰＥＧ２復号処理器６８に関連する動作を除いて、光ディスク再生装置ＯＰＰ２の動作と基本的に同様である。
【０１０５】
上述のように、図１に示した第２のディジタル信号処理器１８として、光ディスクＯｄに記録されているディジタルデータのデコードが可能なものを採用することによって、任意の光ディスクＯｄの再生に対して用いることができる。
【図面の簡単な説明】
【図１】本発明の実施形態にかかる光ディスク再生装置の構成を示すブロック図である。
【図２】図１の光ディスク再生装置の主な動作を示すフローチャートである。
【図３】図２のフローチャートにおける主なサブルーチンの詳細を示すフローチャートである。
【図４】本発明にかかる光ディスク再生装置におけるオンスクリーンメッセージの表示形式の説明図である。
【図５】本発明の第１の実施例にかかる光ディスク再生装置の構成を示すブロック図である。
【図６】図５に示した光ディスク再生装置の変形例を示すブロック図である。
【図７】本発明の第２の実施例にかかる光ディスク再生装置の構成を示すブロック図である。
【図８】図７に示した光ディスク再生装置の変形例を示すブロック図である。
【図９】本発明の第２の実施例にかかる光ディスク再生装置の構成を示すブロック図である。
【図１０】従来の光ディスク再生装置の一例を示すブロック図である。
【図１１】従来の光ディスク再生装置の図１０に示したのと異なる例を示すブロック図である。
【図１２】従来の光ディスク再生装置において、画面表示されるオンスクリーンメッセージの表示形式に関する問題の説明図である。
【符号の説明】
ＯＰＰ、ＯＰＰ１、ＯＰＰ１ｒ、ＯＰＰ２、ＯＰＰ２ｒ、ＯＰＣ１、ＯＰＣ２光ディスク再生装置
Ｏｄ  光ディスク
１２  スピンドルモータ
１３  光ピックアップ
１４  光学サーボ制御器
１５  第１のディジタル信号処理手段
１６  システム制御器
１７  メモリ
１８  第２のディジタル信号処理器
２８  第１のＭＰＥＧ１復号処理器
３８  第１のＭＰＥＧ２復号処理器
４８  第３のディジタル信号処理器
５８  第２のＭＰＥＧ１復号処理器
６８  第２のＭＰＥＧ２復号処理器
７８  ＭＰＥＧ１復号処理器
８８  ＭＰＥＧ１復号処理器
１Ａ、７Ａ  オンスクリーン表示切替器
１Ｂ、７Ｂ  ビデオ信号Ｄ／Ａ変換器
１Ｃ、７Ｃ  オーディオ信号Ｄ／Ａ変換器
Ｓｃｉ  処理信号
Ｓｃｏ  制御信号
Ｓｉ  情報信号
Ｓｉｄ  識別指令
Ｓｓｗ  制御信号
Ｓｄ  復号信号列
Ｓｄａ  音楽ＣＤ信号列
Ｓｎｄａ  非音楽ＣＤ信号列
Ｓｖｄ  ディジタル復号信号列
Ｓａｄ  ＣＤ−ＤＡ信号列
Ｓｖ  映像信号
Ｓａ  アナログオーディオ信号
【図１】
0003591821.tif 000002
【図２】
0003591821.tif 000003
【図３】
0003591821.tif 000004
【図４】
0003591821.tif 000005
【図５】
0003591821.tif 000006
【図６】
0003591821.tif 000007
【図７】
0003591821.tif 000008
【図８】
0003591821.tif 000009
【図９】
0003591821.tif 000010
【図１０】
0003591821.tif 000011
【図１１】
0003591821.tif 000012
【図１２】
0003591821.tif 000013